(57)【特許請求の範囲】
【請求項１】
有料道路の料金所に設置された路側機との無線通信を利用して、通行料金の支払処理を行う料金収受用車載器と、外部記憶媒体が着脱可能に挿入され、当該外部記憶媒体内に格納されているデータを読み取る読取手段、前記料金収受用車載器が接続されている接続端子及び該接続端子を介して接続された前記料金収受用車載器内で得られた情報に応じた運行情報を収集する収集手段を有する外部機器である運行管理機器と、を備えたシステムにおいて、
前記運行管理機器は、前記読取手段によって前記外部記憶媒体内から読み出したデータが、アプリケーションプログラムであるとき、当該プログラムを、前記収集手段を前記料金収受用車載器に連動して動作させるために設けられた接続端子を介して、前記料金収受用車載器にローディングするローディング手段をさらに有する
ことを特徴とするアプリケーション追加システム。
【請求項２】
有料道路の料金所に設置された路側機との無線通信を利用して、通行料金の支払処理を行う料金収受用車載器と、外部記憶媒体が着脱可能に挿入され、当該外部記憶媒体内に格納されているデータを読み取る読取手段、前記料金収受用車載器が接続されている接続端子及び該接続端子を介して接続された前記料金収受用車載器内で得られたデータを表示する表示手段を有する外部機器であるナビゲーション装置と、を備えたシステムにおいて、
前記ナビゲーション装置は、前記読取手段によって前記外部記憶媒体内から読み出したデータが、アプリケーションプログラムであるとき、当該プログラムを、前記表示手段を前記料金収受用車載器に連動して動作させるために設けられた接続端子を介して、前記料金収受用車載器にローディングするローディング手段をさらに有する
ことを特徴とするアプリケーション追加システム。
【請求項３】
外部記憶媒体が着脱可能に挿入され、当該外部記憶媒体内に格納されているデータを読み取る読取手段と、有料道路の料金所に設置された路側機との無線通信を利用して、通行料金の支払処理を行う料金収受用車載器が接続されている接続端子及び該接続端子を介して接続された前記料金収受用車載器内で得られた情報に応じた運行情報を収集する収集手段を有する運行管理機器において、
前記読取手段によって前記外部記憶媒体内から読み出したデータが、アプリケーションプログラムであるとき、当該プログラムを、前記収集手段を前記料金収受用車載器に連動して動作させるために設けられた接続端子を介して、前記料金収受用車載器にローディングするローディング手段をさらに有する
ことを特徴とするアプリケーション追加機能付き運行管理機器。
【請求項４】
外部記憶媒体が着脱可能に挿入され、当該外部記憶媒体内に格納されているデータを読み取る読取手段と、有料道路の料金所に設置された路側機との無線通信を利用して、通行料金の支払処理を行う料金収受用車載器が接続されている接続端子及び該接続端子を介して接続された前記料金収受用車載器内で得られたデータを表示する表示手段を有するナビゲーション装置において、
前記読取手段によって前記外部記憶媒体内から読み出したデータが、アプリケーションプログラムであるとき、当該プログラムを、前記表示手段を前記料金収受用車載器に連動して動作させるために設けられた接続端子を介して、前記料金収受用車載器にローディングするローディング手段をさらに有する
ことを特徴とするアプリケーション追加機能付きナビゲーション装置。
【発明の詳細な説明】
【０００１】
【発明の属する技術分野】
この発明は、アプリケーション追加システム、アプリケーション追加機能付き運行管理装置及びアプリケーション追加機能付きナビゲーション装置に係わり、特に、料金収受用車載器内のアプリケーションを追加するためのアプリケーション追加システム及び当該アプリケーション追加システムに用いられるアプリケーション追加機能付き運行管理装置及びアプリケーション追加機能付きナビゲーション装置に関する。
【０００２】
【従来の技術】
近年、高速道路等の有料道路における渋滞問題が再々取り上げられている。この渋滞の具体的な要因としては、高度成長期における車両の急激な増加や、生活様式の変化による車両の使用頻度の上昇等を挙げることができる。そのため、今までは、道路の拡幅による車線の増加や、バイパスラインとなる道路の新設等による道路設備の拡張を中心とした解決策が実施されている。しかし、有料道路においては、設備の拡張を行っても、料金所ゲートを通過する際の混雑により、いわゆる料金所渋滞といわれる現象が発生するため、現実には上述した解決策で渋滞を十分緩和するに至っていない。
【０００３】
そこで、近年では、このような料金所渋滞の発生を防止する自動料金収受システムが普及しつつある。自動料金収受システムとは、入口料金所や出口料金所のゲートに設置された路側機と、車両に搭載された料金収受用車載器との間で無線により交信を行うことで、自動的に料金の収受を行うシステムである。以上のように、無線で料金収受を行うことによって、入口や出口料金所ゲートでの料金収受動作を省き、車両を停止させることなくスムーズに料金収受をすることができる。
【０００４】
【発明が解決しようとする課題】
ところで、従来より、上述した料金収受用車載器に、例えば、無線を利用した、ガソリンスタンドなどでの料金の支払機能や、音楽ソフトなどのダウンロード機能といった、通行料金の支払機能以外のさまざまな機能を持たせることが考えられている。
【０００５】
そこで、利用者が、後から上述した各機能を追加できるように、料金収受用車載器に、外部機器との接続端子を持たせている。そして、利用者は、料金収受用車載器と、サービス店等にあるソフトローディング用パーソナルコンピュータ（以下、パソコン）と接続して、希望する機能を実現させるアプリケーションを追加していた。
【０００６】
しかしながら、この場合、アプリケーションを追加するために、わざわざサービス店まで、行かなければならず、簡単にアプリケーションの追加が行えないという問題があった。また、場合によっては、不正防止のために取り外し困難に設置された料金収受用車載器を取り外して、パソコンと接続しなければならず、より一層、簡単にアプリケーションの追加を行うことができない。
【０００７】
そこで、料金決算用ＩＣカードが挿入される料金決算用リードライタに、アプリケーションプログラムを格納したＩＣカードを挿入して、そのアプリケーションの追加を行うことが考えられる。しかし、料金決算用リードライタは、不正防止のために料金決算用ＩＣカードしか読み込めないようになっているため、上記料金決算用リードライタを使ったアプリケーションの追加は不可能である。
【０００８】
また、上記料金決算用リードライタとは、別途に、ＩＣカードなどの外部記憶媒体に格納されたデータを読み出すリードライタを設けることも考えられるが、その分コスト高になってしまうという問題がある。
【０００９】
そこで、本発明は、上記のような問題点に着目し、安価に、かつ、容易に、料金収受用車載器内にアプリケーションを追加することができるアプリケーション追加システム及びアプリケーション追加機能付き運行管理装置及びアプリケーション追加機能付きナビゲーション装置を提供することを課題とする。
【００１０】
【課題を解決するための手段】
上記課題を解決するためになされた請求項１記載の発明は、有料道路の料金所に設置された路側機との無線通信を利用して、通行料金の支払処理を行う料金収受用車載器と、外部記憶媒体が着脱可能に挿入され、当該外部記憶媒体内に格納されているデータを読み取る読取手段、前記料金収受用車載器が接続されている接続端子及び該接続端子を介して接続された前記料金収受用車載器内で得られた情報に応じた運行情報を収集する収集手段を有する外部機器である運行管理機器と、を備えたシステムにおいて、前記運行管理機器は、前記読取手段によって前記外部記憶媒体内から読み出したデータが、アプリケーションプログラムであるとき、当該プログラムを、前記収集手段を前記料金収受用車載器に連動して動作させるために設けられた接続端子を介して、前記料金収受用車載器にローディングするローディング手段をさらに有することを特徴とするアプリケーション追加システムに存する。
【００１１】
請求項１記載の発明によれば、運行管理機器内の収集手段が、接続端子を介して接続された料金収受用車載器と連動して、料金収受用車載器内で得られた情報に応じた運行情報を収集している。外部記憶媒体内から読み出したデータがアプリケーションプログラムであるとき、運行管理機器内のローディング手段が、そのプログラムを、接続端子を介して料金収受用車載器にローディングして、アプリケーションを追加する。
【００１２】
従って、元々、料金収受用車載器と、接続端子を介して接続されている運行管理機器内の読取手段に、アプリケーションプログラムを格納した外部記憶媒体を挿入するだけで、料金収受用車載器にアプリケーションを追加することができる。しかも、アプリケーションプログラムを格納した外部記憶媒体を読み取る手段として、外部機器である運行管理機器内の読取手段を流用することができる。また、アプリケーションプログラムをローディングするための接続端子として、収集手段を動作させるために、設けられた接続端子を流用することができる。
【００１３】
請求項２記載の発明は、有料道路の料金所に設置された路側機との無線通信を利用して、通行料金の支払処理を行う料金収受用車載器と、外部記憶媒体が着脱可能に挿入され、当該外部記憶媒体内に格納されているデータを読み取る読取手段、前記料金収受用車載器が接続されている接続端子及び該接続端子を介して接続された前記料金収受用車載器内で得られたデータを表示する表示手段を有する外部機器であるナビゲーション装置と、を備えたシステムにおいて、前記ナビゲーション装置は、前記読取手段によって前記外部記憶媒体内から読み出したデータが、アプリケーションプログラムであるとき、当該プログラムを、前記表示手段を前記料金収受用車載器に連動して動作させるために設けられた接続端子を介して、前記料金収受用車載器にローディングするローディング手段をさらに有することを特徴とするアプリケーション追加システムに存する。
【００１４】
請求項２記載の発明によれば、ナビゲーション装置内の表示手段が、接続端子を介して接続された料金収受用車載器と連動して、料金収受用車載器内で得られたデータを表示している。外部記憶媒体内から読み出したデータがアプリケーションプログラムであるとき、ナビゲーション装置内のローディング手段が、そのプログラムを、接続端子を介して料金収受用車載器にローディングして、アプリケーションを追加する。従って、元々、料金収受用車載器と、接続端子を介して接続されているナビゲーション装置内の読取手段に、アプリケーションプログラムを格納した外部記憶媒体を挿入するだけで、料金収受用車載器にアプリケーションを追加することができる。しかも、アプリケーションプログラムを格納した外部記憶媒体を読み取る手段として、外部機器であるナビゲーション装置内の読取手段を流用することができる。また、アプリケーションプログラムをローディングするための接続端子として、表示手段を動作させるために、設けられた接続端子を流用することができる。
【００１５】
請求項３記載の発明は、外部記憶媒体が着脱可能に挿入され、当該外部記憶媒体内に格納されているデータを読み取る読取手段と、有料道路の料金所に設置された路側機との無線通信を利用して、通行料金の支払処理を行う料金収受用車載器が接続されている接続端子及び該接続端子を介して接続された前記料金収受用車載器内で得られた情報に応じた運行情報を収集する収集手段を有する運行管理機器において、前記読取手段によって前記外部記憶媒体内から読み出したデータが、アプリケーションプログラムであるとき、当該プログラムを、前記収集手段を前記料金収受用車載器に連動して動作させるために設けられた接続端子を介して、前記料金収受用車載器にローディングするローディング手段をさらに有することを特徴とするアプリケーション追加機能付き運行管理機器に存する。
【００１６】
請求項３記載の発明によれば、収集手段が、接続端子を介して接続された料金収受用車載器と連動して、料金収受用車載器内で得られた情報に応じた運行情報を収集している。外部記憶媒体内から読み出したデータがアプリケーションプログラムであるとき、ローディング手段が、そのプログラムを、接続端子を介して、料金収受用車載器にローディングして、アプリケーションを追加する。従って、元々、料金収受用車載器と接続端子を介して、接続されている運行管理機器内の読取手段に、アプリケーションプログラムを格納した外部記憶媒体を挿入するだけで、料金収受用車載器にアプリケーションを追加することができる。しかも、アプリケーションプログラムを格納した外部記憶媒体を読み取る手段として、運行管理機器内の読取手段を流用し、アプリケーションプログラムをローディングするための接続端子として、収集手段を動作させるために、設けられた接続端子を流用することができる。
【００１７】
請求項４記載の発明は、外部記憶媒体が着脱可能に挿入され、当該外部記憶媒体内に格納されているデータを読み取る読取手段と、有料道路の料金所に設置された路側機との無線通信を利用して、通行料金の支払処理を行う料金収受用車載器が接続されている接続端子及び該接続端子を介して接続された前記料金収受用車載器内で得られたデータを表示する表示手段を有するナビゲーション装置において、前記読取手段によって前記外部記憶媒体内から読み出したデータが、アプリケーションプログラムであるとき、当該プログラムを、前記表示手段を前記料金収受用車載器に連動して動作させるために設けられた接続端子を介して、前記料金収受用車載器にローディングするローディング手段をさらに有することを特徴とするアプリケーション追加機能付きナビゲーション装置に存する。
【００１８】
請求項４記載の発明によれば、表示手段が、接続端子を介して接続された料金収受用車載器と連動して、料金収受用車載器内で得られたデータを表示している。外部記憶媒体内から読み出したデータがアプリケーションプログラムであるとき、ローディング手段が、そのプログラムを、接続端子を介して、料金収受用車載器にローディングして、アプリケーションを追加する。従って、元々、料金収受用車載器と接続端子を介して、接続されているナビゲーション装置内の読取手段に、アプリケーションプログラムを格納した外部記憶媒体を挿入するだけで、料金収受用車載器にアプリケーションを追加することができる。しかも、アプリケーションプログラムを格納した外部記憶媒体を読み取る手段として、ナビゲーション装置内の読取手段を流用し、アプリケーションプログラムをローディングするための接続端子として、表示手段を動作させるために、設けられた接続端子を流用することができる。
【００１９】
【発明の実施の形態】
以下、本発明の一実施の形態を、図面を参照して説明する。
図２は、本発明のアプリケーション追加機能付き外部車載器の一例として、運行管理機器を組み込んだアプリケーション追加システムである。同図において、アプリケーション追加システムは、有料道路の入口料金所や出口料金所のゲートに設置された路側機との無線による交信を利用して、通行料金を納める支払処理を行う自動料金収受用車載器１（以下、ＥＴＣ（Electronic Toll Collection）車載器１）と、車両の運行情報を収集し、記録する運行情報収集・記録処理を行う運行管理機器２とを備えている。
【００２０】
上述したＥＴＣ車載器１の詳細な構成について説明する。ＥＴＣ車載器１には、料金決算用ＩＣカードＣＡ１が着脱可能に挿入される。この料金決算用ＩＣカードＣＡ１には、通行料金の引き落とし銀行口座情報などを含む支払者情報などが予め書き込まれている。
【００２１】
また、ＥＴＣ車載器１は、上記料金決算用ＩＣカードＣＡ１への情報の読み書きを行うリードライタ１０（以下、Ｒ／Ｗ１０）と、アンテナＡＴ１を介して路側機と無線交信を行うための送受信回路１１と、車両の識別番号及び有料道路の通行料金体系上による車種を示す車種情報が保持された不揮発性メモリ１２（以下、ＮＶＭ１２）、通行料金の支払いのための各種演算処理を行うマイクロコンピュータ１３（以下、μＣＯＭ１３）、通行料金などを表示するための液晶ディスプレイ１４及び運行管理機器２が接続されているインタフェース１５（以下、Ｉ／Ｆ１５）を備えている。
【００２２】
上述したＥＴＣ車載器１はまた、ＥＥＰＲＯＭ１６を備えている。ＥＥＰＲＯＭ１６は、読取書換可能な不揮発性の記憶媒体であり、後から追加されるアプリケーションプログラムなどが格納される。
【００２３】
また、上述したμＣＯＭ１３は、プログラムに従って各種の処理を行うＥＴＣ車載器側ＣＰＵ１３ａ（以下、ＣＰＵ１３ａ）、ＣＰＵ１３ａが行う処理のプログラムなどを格納した読み出し専用のメモリであるＲＯＭ１３ｂ及びＣＰＵ１３ａでの各種の処理過程で利用するワークエリア、各種データを格納するデータ格納エリアなどを有する読み出し書込自在のメモリであるＲＡＭ１３ｃを有する。
【００２４】
次に、運行管理機器２の詳細な構成について説明する。運行管理機器２には、運行情報を記録するための記録用ＩＣカードＣＡ２と、ＥＴＣ車載器１に追加するアプリケーションプログラムが格納されている追加用ＩＣカードＣＡ３とが着脱可能に挿入されることになる。
【００２５】
運行管理機器２はまた、ＥＴＣ車載器１が接続されるインタフェース２０（以下、Ｉ／Ｆ２０）、出庫、入庫などの車両の運行情報を入力するための入力部２１、時刻を計時する時計２２及び上述した運行情報収集・記録処理などの各種演算処理を実行するマイクロコンピュータ２３（以下、μＣＯＭ２３）を備えている。運行管理機器２はさらに、上述した記録用ＩＣカードＣＡ２への運行情報の書き込みや、追加用ＩＣカードＣＡ３内に格納されたアプリケーションプログラムの読み出しを行うリードライタ２４（以下、Ｒ／Ｗ２４）を備えている。
【００２６】
また、上記μＣＯＭ２３は、プログラムに従って各種の処理を行う運行管理機器側ＣＰＵ２３ａ（以下、ＣＰＵ２３ａ）、ＣＰＵ２３ａが行う処理のプログラムなどを格納した読み出し専用のメモリであるＲＯＭ２３ｂ及びＣＰＵ２３ａでの各種の処理過程で利用するワークエリア、各種データを格納するデータ格納エリアなどを有する読み出し書き込み自在のメモリであるＲＡＭ２３ｃを有する。
【００２７】
以下、上述した構成のアプリケーション追加システムの動作について説明する。まず最初に、運行管理機器２の動作について説明する。Ｒ／Ｗ２４（請求項中の読取手段に相当）に、記録用ＩＣカードＣＡ２が挿入されている間、運行管理機器２内のＣＰＵ２３ａは、収集手段として働き、運行情報収集・記録処理を行う。運行情報収集・記録処理とは、入力部２１による入力された出庫、入庫などの車両の運行情報を収集し、その運行情報に、収集した時刻を付加して、記録用ＩＣカードＣＡ２に書き込んで記録する処理である。
【００２８】
また、運行情報収集・記録処理において、運行管理機器２は、連動手段として働き、ＥＴＣ車載器１の入口料金所ゲートに設置された路側機との無線交信動作に連動して、高速走行を示す運行情報を記録したり、出口料金所ゲートに設置された路側機との無線交信動作に連動して、一般道走行を示す運行情報を記録する連動処理を行っている。これにより、運転者が、入力部２１により高速走行や、一般走行を示す運行情報を入力しなくても、自動的に、高速走行や、一般走行を示す運行情報を入力することができる。
【００２９】
これに対して、Ｒ／Ｗ２４に、上述した追加用ＩＣカードＣＡ３が挿入されると、運行管理機器２内のＣＰＵ２３ａは、ローディング処理を実行する。上述したローディング処理について、図３のＣＰＵ２３ａの処理手順を示すフローチャートを参照して以下説明する。
【００３０】
まず、ＣＰＵ２３ａは、追加用ＩＣカードＣＡ３内に格納されたアプリケーションプログラムを、ＥＴＣ車載器１がすでに保有しているか否かをチェックするため、アプリケーションプログラムの内容を表す情報を含むチェック信号をＩ／Ｆ２０を介してＥＴＣ車載器１に送信する（ステップＳ１０）。
【００３１】
このチェック信号の送信に応じて、ＥＴＣ車載器１から、ローディングを要求する要求信号を受信すると（ステップＳ１１でＹ）、ＣＰＵ２３ａは、ローディング手段として働き、そのアプリケーションプログラムを、Ｉ／Ｆ２０（請求項中の接続端子に相当）を介して、ＥＴＣ車載器１に、ローディングする（ステップＳ１２）。その後、ローディングが終了すると（ステップＳ１３でＹ）、ＣＰＵ２３ａは、ＥＴＣ車載器１に対して、アプリケーションプログラムのローディング終了の旨を示す終了信号を送信した後（ステップＳ１４）、ローディング処理を終了する。
【００３２】
これに対して、上述したチェック信号の送信に応じて、ＥＴＣ車載器１から、ローディングを要求しない非要求信号を受信すると（ステップＳ１１でＮ）、ＣＰＵ２３ａは、アプリケーションプログラムのローディングを行うことなく直ちに、ローディング処理を終了する。
【００３３】
次に、ＥＴＣ車載器１の動作について、説明する。ＥＴＣ車載器１内のＣＰＵ１３ａは、料金所に設置された路側機からの応答信号に応じて、通行料金の支払処理を開始する。支払処理とは、料金決算用ＩＣカードＣＡ１に書き込まれた支払情報や、ＮＶＭ１２に保持された車両の識別情報及び車種情報を、路側機に対して送信したり、路側機から受信した通行料金情報に基づき、利用明細書情報を作成し、料金決算用ＩＣカードＣＡ１に書き込む処理である。
【００３４】
一方、上記応答信号を受信するまでの間、ＣＰＵ１３ａは、信号の受信待ち状態を維持している。また、ＣＰＵ１３ａは、運行管理機器２からのチェック信号の受信に応じて、アプリケーション追加処理を開始する。上述したアプリケーション追加処理について、図４のＣＰＵ１３ａの処理手順を示すフローチャートを参照して説明する。
【００３５】
まず、ＣＰＵ１３ａは、チェック信号に含まれるアプリケーションプログラムの内容を表す情報に基づき、そのアプリケーションプログラムを保有していないと判断すると（ステップＳ２０でＮ）、アプリケーションプログラムのローディングを要求する要求信号を、運行管理機器２に対して、送信する（ステップＳ２１）。
【００３６】
次に、ＣＰＵ１３ａは、この要求信号に応じて、運行管理機器２からローディングされてくるアプリケーションプログラムを、ＥＥＰＲＯＭ１６に格納する格納処理を開始する（ステップＳ２２）。その後、運行管理機器２からローディング終了の旨を示す終了信号を受信すると（ステップＳ２３でＹ）、ＣＰＵ１３ａは、液晶ディスプレイ１４に、『ローディングを終了しました』と表示して、終了した旨を報知した後（ステップＳ２４）、アプリケーション追加処理を終了する。
【００３７】
これに対して、チェック信号に含まれるアプリケーションプログラムの内容を表す情報に基づき、そのアプリケーションプログラムを保有していると判断すると（ステップＳ２０でＹ）、アプリケーションプログラムのローディングを要求しない非要求信号を、運行管理機器２に対して送信する（ステップＳ２５）。そして、ＣＰＵ１３ａは、液晶ディスプレイ１４に、『すでに保有しています』と表示して、保有している旨を報知した後（ステップＳ２６）、アプリケーション追加処理を終了する。
【００３８】
以上のアプリケーション追加システムによれば、元々、ＥＴＣ車載器１と、Ｉ／Ｆ２０を介して接続されている運行管理機器２内のＲ／Ｗ２４に、アプリケーションプログラムを格納した追加用ＩＣカードＣＡ３を挿入するだけで、ＥＴＣ車載器１にアプリケーションを追加することができる。
【００３９】
しかも、アプリケーションプログラムを格納した追加用ＩＣカードＣＡ３を読み取る手段として、運行管理機器２内のＲ／Ｗ２４を流用することができる。また、アプリケーションプログラムをローディングするためのＩ／Ｆとして、連動処理を行わせるために、設けられたＩ／Ｆ２０を流用することができる。従って、容易に、かつ、安価にアプリケーションを追加することができる。
【００４０】
ところで、上記ＥＴＣ車載器１に液晶ディスプレイ１４を設けずに、ＥＴＣ車載器１とナビゲーション装置とを接続し、地図情報などを表示するディスプレイ（請求項中の表示手段に相当）を流用して、ＥＴＣ車載器１から送信された通行料金情報などを表示する場合がある。従って、アプリケーション追加機能付き外部車載器としては、運行管理機器２に限ったものではなく、上述したようなＥＴＣ車載器１と連動した動作を行うナビゲーション装置を流用して、アプリケーションを追加することも考えられる。
【００４１】
また、追加するアプリケーションプログラムとしては、従来で述べたガソリンスタンドなどでの料金の支払い機能などに限らず、例えば、上述した運行管理機器２又はナビゲーション装置との連動を実現させる接続アプリケーションなども考えられる。
【００４２】
【発明の効果】
以上説明したように請求項１及び３記載の発明によれば、元々、料金収受用車載器と接続端子を介して、接続されている運行管理機器内の読取手段に、アプリケーションプログラムを格納した外部記憶媒体を挿入するだけで、料金収受用車載器にアプリケーションを追加することができる。しかも、アプリケーションプログラムを格納した外部記憶媒体を読み取る手段として、運行管理機器内の読取手段を流用し、アプリケーションプログラムをローディングするための接続端子として、収集手段を動作させるために、設けられた接続端子を流用することができるので、容易に、かつ、安価に、料金収受用車載器内にアプリケーションを追加することができるアプリケーション追加システム及びアプリケーション追加機能付き運行管理機器を得ることができる。
【００４３】
請求項２及び４記載の発明によれば、元々、料金収受用車載器と接続端子を介して、接続されているナビゲーション装置内の読取手段に、アプリケーションプログラムを格納した外部記憶媒体を挿入するだけで、料金収受用車載器にアプリケーションを追加することができる。しかも、アプリケーションプログラムを格納した外部記憶媒体を読み取る手段として、ナビゲーション装置内の読取手段を流用し、アプリケーションプログラムをローディングするための接続端子として、表示手段を動作させるために、設けられた接続端子を流用することができるので、容易に、かつ、安価に、料金収受用車載器内にアプリケーションを追加することができるアプリケーション追加システム及びアプリケーション追加機能付きナビゲーション装置を得ることができる。
【図面の簡単な説明】
【図１】本発明のアプリケーション追加機能付き外部車載器を組み込んだアプリケーション追加システムの基本構成図である。
【図２】本発明のアプリケーション追加機能付き外部車載器を組み込んだアプリケーション追加システムの一実施の形態を示すブロック図である。
【図３】図２の運行管理機器２内のＣＰＵ２３ａのローディング処理における処理手順を示すフローチャートである。
【図４】図２のＥＴＣ車載器１内のＣＰＵ１３ａのアプリケーション追加処理における処理手順を示すフローチャートである。
【符号の説明】
１          料金収受用車載器（ＥＴＣ車載器）
２          アプリケーション追加機能付き外部車載器（運行管理機器）
２４        読取手段（リードライタ）
２０        接続端子（インタフェース）
２３ａ−１  連動手段（運行管理機器側ＣＰＵ）
２３ａ−２  ローディング手段（運行管理機器側ＣＰＵ）
【図１】
0004714376.tif 000002
【図２】
0004714376.tif 000003
【図３】
0004714376.tif 000004
【図４】
0004714376.tif 000005